(57)【要約】【課題】部品点数を極力少なくすること。【解決手段】固定座に回転自在に設けられ、かつ外端部側の外周に係止溝１０を有するサムターン軸６、このサムターン軸に前記係止溝を包むように外嵌合する筒状の摘み部材１５、この摘み部材内に架設され、かつ前記係止溝に対向する支持孔２３を有する弾発性部材２１、この弾発性部材の支持孔に貫通状態に設けられ、内端部が前記係止溝に係脱可能であり、一方、外端部が摘み部材の挿通孔２０から突出する係合体２５を備え、前記係合体の外端部２５ｂを押し込むと、該係合体は前記弾発性部材の弾発力に抗して位置変位し、その内端部２５ａが係止溝に係合することにより、空転状態の防犯モードから摘み部材とサムターン軸とが共働回転する通常モードに切り換る防犯サムターン。【選択図】図２
2009057788.tif 000002
【特許請求の範囲】
【請求項１】
固定座に回転自在に設けられ、かつ外端部側の外周に係止溝１０を有するサムターン軸６、このサムターン軸に前記係止溝を包むように外嵌合する筒状の摘み部材１５、この摘み部材内に架設され、かつ前記係止溝に対向する支持孔２３を有する弾発性部材２１、この弾発性部材の支持孔に貫通状態に設けられ、内端部が前記係止溝に係脱可能であり、一方、外端部が摘み部材の挿通孔２０から突出する係合体２５を備え、前記係合体の外端部２５ｂを押し込むと、該係合体は前記弾発性部材の弾発力に抗して位置変位し、その内端部２５ａが係止溝に係合することにより、空転状態の防犯モードから摘み部材とサムターン軸とが共働回転する通常モードに切り換る防犯サムターン。
【請求項２】
請求項１に於いて、弾発性部材は、弧状中央部と、この弧状中央部の連設し、かつ摘み部材の内面に形成された左右一対の支持部にそれぞれスライド係合する左右の係合端部を有する板バネであることを特徴とする防犯サムターン。
【請求項３】
請求項１に於いて、弾発性部材は、サムターン軸の外端部側の小径部に間隙を有して筒状摘み部材内に架設されていることを特徴とする防犯サムターン。
【発明の詳細な説明】
【技術分野】
【０００１】
本発明は、防犯モードから通常モードに切り換ることができる防犯サムターンに関する。
【背景技術】
【０００２】
特許文献１には、「固定筒内に回転可能に内装され摘み部材並びにサムターン軸と共に回転可能なローター、ローターと交差するように固定筒内に配設され、かつ固定筒の係合溝と係脱する可動障害子、可動障害子に内端部側の脚部が係合し、先端部側のボタン状入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターン」が開示されている。
【０００３】
上記構成に於いて、摘み部材の規制（ロック）を解く場合には、ボタン状入力部を押圧すると、揺動レバーが支軸を支点に解消することから、可動障害子が固定筒の係合溝からは離れる。したがって、揺動レバーのボタン状入力部を押しながら摘み部材を回転することができるので、防犯サムターンとしての機能を発揮する。
【０００４】
しかしながら、特許文献１は、摘み側の入力部材及び作動障害子の部品点数が多くなるといったような問題点があった。そこで、現在、部品点数を極極少なくするという観点から、また、揺動レバー方式以外の視点から、新規な方式の防犯サムターンの出現が要望されている。
【特許文献１】特開２００５−４２４９８号公報
【発明の開示】
【発明が解決しようとする課題】
【０００５】
本発明の所期の目的は、極力、摘み側の入力部材、作動障害子等の部品点数を少なくすることである。第２の目的は、組み合わせが容易であることである。第３の目的は、空転状態の防犯モードに於いて、弾発性部材の存在がサムターン軸に対して空転する摘み部材の回転に支障とならないことである。
【課題を解決するための手段】
【０００６】
本発明の防犯サムターンは、固定座に回転自在に設けられ、かつ外端部側の外周に係止溝１０を有するサムターン軸６、このサムターン軸に前記係止溝を包むように外嵌合する筒状の摘み部材１５、この摘み部材内に架設され、かつ前記係止溝に対向する支持孔２３を有する弾発性部材２１、この弾発性部材の支持孔に貫通状態に設けられ、内端部が前記係止溝に係脱可能であり、一方、外端部が摘み部材の挿通孔２０から突出する係合体２５を備え、前記係合体の外端部２５ｂを押し込むと、該係合体は前記弾発性部材の弾発力に抗して位置変位し、その内端部２５ａが係止溝に係合することにより、空転状態の防犯モードから摘み部材とサムターン軸とが共働回転する通常モードに切り換ることを特徴とする。
【発明の効果】
【０００７】
（ａ）摘み側の入力部材、作動障害子等の部品点数を少なくすることができる。
（ｂ）各部材の組み合わせが容易である。
（ｃ）従属項に記載の発明は、空転状態の防犯モードに於いて、弾発性部材の存在がサムターン軸に対して空転する摘み部材を回転に支障とならない。
【発明を実施するための最良の形態】
【０００８】
以下、図１乃至図７に示す本発明を実施するための最良の形態により説明する。
【０００９】
（１）防犯サムターンＸ―固定座１
Ｘは本発明の防犯サムターンで、この防犯サムターンは、複数本の固着具を介して扉の内壁面に固定される。さて、１は防犯サムターンＸの固定座である。実施例の固定座１は円盤状或いは円形の台状に形成され、該固定座１には複数個の貫通孔２，３が水平方向に形成されている。
【００１０】
すなわち、図３を参照にすると、２は中心部に形成された軸孔、３は軸孔の左右に形成された固着具用の取付け孔である。また、固定座１の表面１ａには、前記軸孔２の回りに嵌合凹所４が形成されている。一方、固定座１の裏面１ｂには、前記嵌合凹所４よりも大径の嵌合凹所５が形成されている。表面１ａ側の小径の嵌合凹所４及び裏面１ｂの大径の嵌合凹所５の底壁内面は、それぞれサムターン軸に設けた鍔部、ワッシャー（ストッパー片）を受ける受け面の役割を果す。
【００１１】
（２）サムターン軸６
サムターン軸６は、固定座１の軸孔２に貫通状態に嵌挿され、後述する係合体２５を介して摘み部材１５の操作力により該摘み部材と共に共働回転可能である。このサムターン軸６は、図２及び図４で示すように中実状の棒状体である。そこで、図２を基準にしてサムターン軸６の構成を説明する。
【００１２】
７は中央部（中央部寄りの部位も含む）に周設された鍔部で、この鍔部７の裏面は固定座１の嵌合凹所４の底壁内面と摺接する。ここでは、鍔部７の表面から前方へ延在し、かつ固定座１の表面１ａから所定量突出する大径先端部までを「外端部側８」という。一方、鍔部７の裏面から軸孔２を貫通して後方へ延在し、かつ固定座１の裏面１ｂから所定量突出する大径部分を「内端部側９」という。
【００１３】
しかして、外端部側８は、小径部８ａと、この小径部８ａの先端部に連設形成された大径部８ｂとから成り、前記小径部８ａの固定座１の表面１ａから突出した適宜部位には、凹所形状の係止溝１０が形成されている。
【００１４】
一方、内端部側９の軸孔２を貫通した外周には周溝１２が形成され、該周溝１２にはワッシャー１３が嵌め込まれている。なお、サムターン軸６の外端部側８の表面には施・解錠位置を示す識別標識１１が設けられている。また、サムターン軸６の内端部側は、図示しないサムターンの係合部と係合する。
【００１５】
（３）摘み部材１５
本実施例の摘み部材１５は、図５で示すように、縦断面がやや提灯形状に類似する筒状体である。実施例の摘み部材１５は一物品である。付言すると、合成樹脂材で筒状ケース体に一体成形されている。もちろん、特に図示しないが、摘み部材１５を、ケース本体と、このケース本体に合体する蓋体とから構成し、ケース本体と蓋体を適宜に結合しても良い。要は、筒状ケースの摘み部材１５は、サムターン軸６に係止溝１０を包むように外嵌合し、かつ、スイッチ手段としての係合体２５を装着するための挿通孔２０を有していれば良い。
【００１６】
さて、図５を参照にして、摘み部材１５の構成を説明する。１６は左右の対向側壁部で、これらの対向側壁部１６の内面には、左右一対の支持部（例えば係合溝や支持突起）１９が設けられている。また、１７は左右の支持部１９の上端部に連設する一側壁部（図では上壁側）で、この一側壁部１７は、中央部の弧状軸受け部分１７ａと、この軸受け部分１７ａと支持部１９の上端部に水平状態に連設する左右部分１７ｂとか成り、前記軸受け部分１７ａの中央部位には、サムターン軸６の係止溝１０と対向する係合体用の挿通孔２０が形成されている。
【００１７】
一方、１８は一側壁部１７に対して対称的に対向する他側壁部で、この他側壁部１８も、中央部の弧状軸受け部分１８ａと、この軸受け部分１８ａと支持部１９の下端部に水平状態に連設する左右部分１８ｂとか成る。なお、本実施例では、前記左右部分１７ｂ、１８ｂは図示しない指を宛がう部分となる。
【００１８】
（４）弾発性部材２１
弾発性部材２１は、摘み部材１５内に架設され、図５で示すように、その中央部にはサムターン軸６の係止溝１０並びに摘み部材１５の挿通孔２０に対して半径方向内外に対向する支持孔２３が形成されている。
【００１９】
すなわち、図６で示すように、本実施例の弾発性部材２１は、支持孔２３を有すると共にサムターン軸６の外周に対して所要の間隙２４を有して配設される弧状中央部２２ａ、この弧状中央部２２ａの左右端にそれぞれ連設し、かつ摘み部材１５の内面に形成された左右一対の支持部１９にそれぞれスライド係合する左右の板状係合端部２２ｂを有する板バネである。この板バネ２１は、摘み部材１５を空転させるとき、サムターン軸６に干渉して回転障害とならないようにサムターン軸６の外端部側８の小径部８ａに間隙２４を有して筒状ケースの摘み部材１５内に架設されている。
【００２０】
（５）係合体２５
係合体２５は、中央部（中央部寄りの部位も含む）に係止鍔部２６を有する。前記係止鍔部２６を基準として、弾発性部材２１の支持孔２３に貫通状態に設けられている部分が内端部２５ａで、一方、摘み部材１５の挿通孔２０から突出する部分が外端部２５ｂである。
【００２１】
付言すると、本実施例の係合体２５は、弾発性部材２１の支持孔２３に貫通状態に設けられ、その内端部２５ａはサムターン軸６の係止溝１０に係脱可能であり、一方、外端部２５ｂは摘み部材１５の挿通孔２０から突出するスイッチ方式のボタン部材である。
【００２２】
（６）作用―防犯モード又は通常モード
図７で示すように、係合体２５の外端部２５ｂを指で押し込むと、該係合体２５は弾発性部材２１の弾発力に抗して位置変位し、その内端部２５ａがサムターン軸６の係止溝１０に係合することにより、空転状態の防犯モードから摘み部材１５とサムターン軸６とが共働回転する通常モードに切り換る。
【００２３】
ここで、「防犯モード」とは、図５で示すように、弾発性部材２１の弾性変位復帰機能により初期状態に復帰し、係合体２５の内端部２５ａがサムターン軸６の係止溝１０から抜けることをいう。その結果、摘み部材１５はサムターン軸６に対して回転可能な状態になることを言う。この防犯モードでは、摘み部材１５は常に空転状態となるため、該摘み部材１５の操作力がサムターン軸６に伝わらない。つまり、摘み部材１５でサムターン軸６を回すことができない。
【００２４】
一方、「通常モード」とは、前記防犯モードとは逆であり、例えば図７で示すように、係合体２５の外端部２５ｂを指で押し込むと、弾発性部材２１の弾性変位変形機能により、係合体２５がサムターン軸６の半径方向へと位置変位し、その内端部２５ａがサムターン軸６の係止溝１０に係合することをいう。
【００２５】
その結果、係合体２５を指で押し込みながら摘み部材１５を所定方向に回転操作すると、該摘み部材１５とサムターン軸６が共働回転する。
【実施例】
【００２６】
本実施例に於いて、摘み部材１５が一物品の場合には、ボタン状の係合体２５は摘み部材１５の内部から取付けられる。その場合、弾発性部材２１の支持孔２３に係合体２５を予め嵌め込み、弾発性部材２１を弾発力に抗して変形させた状態で、係合体２５の外端部２５ｂを摘み部材１５の内面側から挿通孔２０に嵌め込むようにする。
【００２７】
一方、摘み部材１５が、ケース本体と、このケース本体に合体する蓋体とから構成されている場合には、例えば弾発性部材２１の支持孔２３に係合体２５を予め嵌め込み、次に、弾発性部材２１の両係合端部２２ｂをケース本体の左右の側壁部上端部に形成した支持部１９に載せ、しかる後に、蓋体の挿通孔２０を係合体２５の外端部２５ｂに外嵌合するようにして該蓋体の左右端部をケース本体の左右の側壁部上端部に接合し、かつ固定手段（係着、固着等）により、ケース本体と蓋体とを一体的に結合する。
【００２８】
なお、本実施例では、弾発性部材２１及び係合体２５を摘み部材１５の一側壁部１７側に配設したが、もちろん、摘み部材１５の他側壁部１８側にも同一構成の弾発性部材２１及び係合体２５を配設しても良い。後者の実施例の場合には、係止溝１０及び支持部１９を上下対称に形成する。
【産業上の利用可能性】
【００２９】
本発明は、主に錠前や建具の業界で利用される。
【図面の簡単な説明】
【００３０】
図１乃至図７は本発明の最良の実施形態を示す各説明図。
【図１】斜視図（防犯モード）。
【図２】斜視の概略断面説明図（防犯モード）。
【図３】要部（固定座）の説明図。
【図４】要部（サムターン軸）の概略断面説明図。
【図５】縦概略断面説明図（防犯モード）。
【図６】要部（弾発性部材）の斜視図。
【図７】縦概略断面説明図（通常モード）。
【符号の説明】
【００３１】
Ｘ…防犯サムターン、１…固定座、１ａ…表面、１ｂ…裏面、２…軸孔、３…取付け孔、４…小径の嵌合凹所、５…大径の嵌合凹所、６…サムターン軸、７…鍔部、８…外端部側、８ａ…小径部、８ｂ…大径部、９…内端部側、１０…係止溝、１１…識別標識、１５…摘み部材、１６…対向側壁部、１７…一側壁部、１７ａ、１８ａ…弧状軸受け部分、１８…他側壁部、１９…支持部、２０…挿通孔、２１…弾発性部材、２２ａ…弧状中央部、２２ｂ…左右の係合端部、２３…支持孔、２４…間隙、２５…係合体、２５ａ…内端部２５ａ…外端部、２６…係止鍔部。
【図１】
2009057788.tif 000003
【図２】
2009057788.tif 000004
【図３】
2009057788.tif 000005
【図４】
2009057788.tif 000006
【図５】
2009057788.tif 000007
【図６】
2009057788.tif 000008
【図７】
2009057788.tif 000009